【手続補正書】
【提出日】平成23年11月28日(2011.11.28)
【手続補正１】
【補正対象書類名】明細書
【補正対象項目名】００８８
【補正方法】変更
【補正の内容】
【００８８】
本発明の範囲及び趣旨から逸脱しない本発明の様々な変更や改変は、当業者には明らかとなるであろう。本発明は、本明細書で述べる例示的な実施形態及び実施例によって不当に限定されるものではないこと、また、こうした実施例及び実施形態は、本明細書において以下に記述する特許請求の範囲によってのみ限定されると意図する本発明の範囲に関する例示のためにのみ提示されることを理解すべきである。
以下に、本願発明に関連する発明の実施形態について列挙する。
［実施形態１］
（ａ）シリカナノ粒子、ジルコニアナノ粒子、チタニアナノ粒子、及びこれらの組み合わせからなる群から選択される（メタ）アクリレート官能化ナノ粒子と、
（ｂ）ビニルモノマーと、
（ｃ）以下の式により表されるシリコーンマクロマーと、
Ｘ−（Ｙ）n−Ｓｉ（Ｒ）3-mＺm
（式中、
Ｘはビニル基であり、
Ｙは、二価結合基であり、
ｎは０又は１であり、
Ｒは水素、アルキル、アリール、又はアルコキシであり、
ｍは１〜３の整数であり、
Ｚは、約１，０００を超える数平均分子量を有する一価シロキサンポリマー部分であり、共重合条件下で本質的に非反応性である）の反応生成物を含むコポリマー。
［実施形態２］
前記（メタ）アクリレート官能化ナノ粒子が、シリカナノ粒子である、実施形態１に記載のコポリマー。
［実施形態３］
前記（メタ）アクリレート官能化ナノ粒子が、シリカナノ粒子と３−メタクリルオキシプロピルトリメトキシシランとの前記反応生成物である、実施形態２に記載のコポリマー。
［実施形態４］
前記（メタ）アクリレート官能化ナノ粒子が、以下の式：
【化１】
2011508811.tif 000001
（式中、
【化２】
2011508811.tif 000002
はシリカナノ粒子を表す）により表される、実施形態２に記載のコポリマー。
［実施形態５］
前記ナノ粒子が、約５ｎｍ〜約１００ｎｍの平均粒径を有する、実施形態２に記載のコポリマー。
［実施形態６］
前記ナノ粒子が、約５ｎｍ、約８ｎｍ、又は約２０ｎｍの平均粒径を有する、実施形態５に記載のコポリマー。
［実施形態７］
Ｘが以下の式：
【化３】
2011508811.tif 000003
（式中、Ｒ１は水素又はＣＯＯＨであり、Ｒ２は水素、メチル、又はＣＨ2ＣＯＯＨである）により表される、実施形態１に記載のコポリマー。
［実施形態８］
Ｒ１がメチル、エチル、又はプロピルである、実施形態１に記載のコポリマー。
［実施形態９］
Ｚが以下の式：
【化４】
2011508811.tif 000004
（式中、Ｒ３及びＲ５は、独立して、アルキル、アリール、又はフルオロアルキルであり、Ｒ４は、アルキル、アルコキシ、アルキルアミノ、アリール、ヒドロキシル、又はフルオロアルキルであり、ｒは約５〜約７００の整数である）により表される、実施形態１に記載のコポリマー。
［実施形態１０］
Ｒ３及びＲ５が独立してメチル、エチル、又はプロピルである、実施形態９に記載のコポリマー。
［実施形態１１］
前記シリコーンマクロマーが、以下の式：
【化５】
2011508811.tif 000005
（式中、ｔは約１０〜約４００である）により表される、実施形態１に記載のコポリマー。
［実施形態１２］
前記シリコーンマクロマーが、約１，０００〜約５０，０００の数平均分子量を有する、実施形態１又は１１に記載のコポリマー。
［実施形態１３］
前記ビニルモノマーが、（メタ）アクリレート、スチレン、（メタ）アクリル酸、アクリロニトリル、Ｎ−ビニルピロリドン、及びこれらの混合物からなる群から選択される、実施形態１に記載のコポリマー。
［実施形態１４］
前記ビニルモノマーが、メチル（メタ）アクリレート、イソボルニル（メタ）アクリレート、ブチル（メタ）アクリレート、イソプロピル（メタ）アクリレート、オクタデシル（メタ）アクリレート、スチレン、（メタ）アクリル酸、アクリロニトリル、Ｎ−ビニルピロリドン、及びこれらの混合物からなる群から選択される、実施形態１３に記載のコポリマー。
［実施形態１５］
前記コポリマーの前記ビニルポリマーセグメントが、約５００〜約１００，０００の平均分子量を有する、実施形態１に記載のコポリマー。
［実施形態１６］
（メタ）アクリレート官能化シリカナノ粒子とビニルモノマー及びシリコーンマクロマーの重量比が、約１０：９０以下である、実施形態１に記載のコポリマー。
［実施形態１７］
（メタ）アクリレート官能化シリカナノ粒子とビニルモノマー及びシリコーンマクロマーの重量比が、約５：９５以下である、実施形態１６に記載のコポリマー。
［実施形態１８］
（メタ）アクリレート官能化シリカナノ粒子とビニルモノマー及びシリコーンマクロマーの重量比が、約２：９８である、実施形態１７に記載のコポリマー。
［実施形態１９］
シリコーンマクロマーとビニルモノマーの重量比が、約１０：９０〜約４０：６０である、実施形態１に記載のコポリマー。
［実施形態２０］
組成物がコーティング可能である、実施形態１に記載のコポリマーを含む組成物。
［実施形態２１］
前記組成物が剥離剤コーティングである、実施形態２０に記載の組成物。
［実施形態２２］
実施形態２０に記載の組成物でコーティングされた１つ以上の表面を有する基材を備える物品。
［実施形態２３］
前記基材が、紙、金属シート、金属箔、不織布、又は熱可塑性樹脂のフィルムを含む、実施形態２２に記載の物品。
［実施形態２４］
前記基材が紙シートである、実施形態２３に記載の物品。
［実施形態２５］
前記物品が剥離ライナである、実施形態２２に記載の物品。
［実施形態２６］
第１の主表面の少なくとも一部を被覆する実施形態２１に記載の剥離剤コーティングを有する可撓性シートと、第２の主表面の少なくとも一部を被覆する接着剤と、を含む、コーティングされたシート材料。
【手続補正２】
【補正対象書類名】特許請求の範囲
【補正対象項目名】全文
【補正方法】変更
【補正の内容】
【特許請求の範囲】
【請求項１】
（ａ）シリカナノ粒子、ジルコニアナノ粒子、チタニアナノ粒子、及びこれらの組み合わせからなる群から選択される（メタ）アクリレート官能化ナノ粒子と、
（ｂ）ビニルモノマーと、
（ｃ）以下の式により表されるシリコーンマクロマーと、
Ｘ−（Ｙ）n−Ｓｉ（Ｒ）3-mＺm
（式中、
Ｘはビニル基であり、
Ｙは、二価結合基であり、
ｎは０又は１であり、
Ｒは水素、アルキル、アリール、又はアルコキシであり、
ｍは１〜３の整数であり、
Ｚは、１，０００を超える数平均分子量を有する一価シロキサンポリマー部分であり、共重合条件下で本質的に非反応性である）の反応生成物を含み、任意に、ここで、前記コポリマーの前記ビニルポリマーセグメントが、５００〜１００，０００の平均分子量を有する、コポリマー。
【請求項２】
前記（メタ）アクリレート官能化ナノ粒子が、シリカナノ粒子であり、任意に、前記（メタ）アクリレート官能化ナノ粒子が、シリカナノ粒子と３−メタクリルオキシプロピルトリメトキシシランとの前記反応生成物である、請求項１に記載のコポリマー。
【請求項３】
前記ナノ粒子が、５ｎｍ〜１００ｎｍの平均粒径を有する、請求項２に記載のコポリマー。
【請求項４】
Ｘが以下の式：
【化３】
2011508811.tif 000006
（式中、Ｒ１は水素又はＣＯＯＨであり、Ｒ２は水素、メチル、又はＣＨ2ＣＯＯＨである）により表される、請求項１に記載のコポリマー。
【請求項５】
Ｒ１がメチル、エチル、又はプロピルである、請求項１に記載のコポリマー。
【請求項６】
Ｚが以下の式：
【化４】
2011508811.tif 000007
（式中、Ｒ３及びＲ５は、独立して、アルキル、アリール、又はフルオロアルキルであり、Ｒ４は、アルキル、アルコキシ、アルキルアミノ、アリール、ヒドロキシル、又はフルオロアルキルであり、ｒは５〜７００の整数である）により表される、請求項１に記載のコポリマー。
【請求項７】
前記シリコーンマクロマーが、１，０００〜５０，０００の数平均分子量を有する、請求項１に記載のコポリマー。
【請求項８】
前記ビニルモノマーが、（メタ）アクリレート、スチレン、（メタ）アクリル酸、アクリロニトリル、Ｎ−ビニルピロリドン、及びこれらの混合物からなる群から選択される、請求項１に記載のコポリマー。
【請求項９】
（メタ）アクリレート官能化シリカナノ粒子とビニルモノマー及びシリコーンマクロマーの重量比が、１０：９０以下であり、任意に、前記シリコーンマクロマーとビニルモノマーの重量比が、１０：９０〜４０：６０である、請求項１に記載のコポリマー。
【請求項１０】
請求項１に記載のコポリマーを含む組成物であって、その組成物が、基材の第１の主表面の少なくとも一部を被覆するコーティング可能の剥離剤コーティングであり、任意に、第２の主表面の少なくとも一部を被覆する接着剤を有する、組成物。